(57)【要約】【課題】この発明は、カスケード接続用専用端子を設けないで、カスケード接続可能なミキシング方法、ミキシング装置およびプログラムを提供する。【解決手段】第１のミキシング装置の入力端子に対して第２のミキシング装置をカスケード接続する際に、該第１のミキシング装置において実行されるミキシング方法であって、複数の前記入力端子の一部に入力されるオーディオ信号が前記第２のミキシング装置から供給されるカスケード信号である旨を設定する入力設定過程と、他の前記入力端子に入力されるオーディオ信号の演算処理を行う入力演算過程２３０と、前記カスケード信号および前記入力演算過程の出力信号を混合する信号混合過程２６０，２６２，２６４とを有することを特徴とする。【選択図】　図２
2004120697.tif 000002
【特許請求の範囲】
【請求項１】
第１のミキシング装置の入力端子に対して第２のミキシング装置をカスケード接続する際に、該第１のミキシング装置において実行されるミキシング方法であって、
複数の前記入力端子の一部に入力されるオーディオ信号が前記第２のミキシング装置から供給されるカスケード信号である旨を設定する入力設定過程と、
他の前記入力端子に入力されるオーディオ信号の演算処理を行う入力演算過程と、
前記カスケード信号および前記入力演算過程の出力信号を混合する信号混合過程と
を有することを特徴とするミキシング方法。
【請求項２】
前記入力演算過程は、前記第２のミキシング装置から前記第１のミキシング装置に至るまでの遅延時間に相当する遅延処理を行う遅延過程を有する
ことを特徴とする請求項１記載のミキシング方法。
【請求項３】
第１のミキシング装置の入力端子に対して第２のミキシング装置をカスケード接続する際に、該第２のミキシング装置において実行されるミキシング方法であって、
複数の入力信号を複数の出力信号にミキシングするミキシング過程と、
前記出力信号の一部が前記第１のミキシング装置に供給するカスケード信号である旨を設定する出力設定過程と、
他の前記出力信号の演算処理を行って、演算処理後の前記出力信号を出力する演算出力過程と、
前記カスケード信号に設定された前記出力信号の一部を直接出力するカスケード出力過程と
を有することを特徴とするミキシング方法。
【請求項４】
請求項１ないし３の何れかに記載のミキシング方法を実行することを特徴とするミキシング装置。
【請求項５】
請求項１ないし３の何れかに記載のミキシング方法を実行させることを特徴とするプログラム。
【発明の詳細な説明】
【０００１】
【発明の属する技術分野】
本発明は、カスケード接続可能な楽音機器に用いて好適なミキシング方法、ミキシング装置およびプログラムに関する。
【０００２】
【従来の技術】
複数のオーディオ信号を処理・混合する機能を有するミキシング装置に他のミキシング装置をカスケード接続して使用することができる。その場合には、特許文献１にあるように、自機に直接入力されるオーディオ信号を遅延回路で遅延して、その遅延後の信号に自機のカスケード接続用専用端子から入力される他のミキシング装置からのカスケード信号を混合する。また、その混合した後の信号をカスケード信号として自機のカスケード接続用専用端子から他のミキシング装置に出力することもできる。
【０００３】
【特許文献１】特開平　７−０１５２８４号公報
【０００４】
【発明が解決しようとする課題】
しかし、特許文献１の技術においては、カスケード接続用に専用端子を設けているので製造コストが上昇する問題点がある。また、カスケード接続を行わない使用者にとっては、該専用端子は不要なものである。
この発明は、上述した事情に鑑みてなされたものであり、カスケード接続用専用端子を設けないで、カスケード接続可能なミキシング方法、ミキシング装置およびプログラムを提供することを目的とする。
【０００５】
【課題を解決するための手段】
上記課題を解決するため本発明にあっては、下記構成を具備することを特徴とする。なお、括弧内は例示である。
請求項１記載のミキシング方法にあっては、第１のミキシング装置の入力端子（入力インターフェース）に対して第２のミキシング装置をカスケード接続する際に、該第１のミキシング装置において実行されるミキシング方法であって、複数の前記入力端子の一部に入力されるオーディオ信号が前記第２のミキシング装置から供給されるカスケード信号である旨を設定する入力設定過程と、他の前記入力端子に入力されるオーディオ信号の演算処理を行う入力演算過程（入力演算器）と、前記カスケード信号および前記入力演算過程の出力信号を混合する信号混合過程とを有することを特徴とする。
さらに、請求項２記載の構成にあっては、請求項１記載のミキシング方法において、前記入力演算過程は、前記第２のミキシング装置から前記第１のミキシング装置に至るまでの遅延時間に相当する遅延処理を行う遅延過程（遅延器）を有することを特徴とする。
また、請求項３記載のミキシング方法にあっては、第１のミキシング装置の入力端子（入力インターフェース）に対して第２のミキシング装置をカスケード接続する際に、該第２のミキシング装置において実行されるミキシング方法であって、複数の入力信号を複数の出力信号にミキシングするミキシング過程と、前記出力信号の一部が前記第１のミキシング装置に供給するカスケード信号である旨を設定する出力設定過程と、他の前記出力信号の演算処理を行って、演算処理後の前記出力信号を出力する演算出力過程と、前記カスケード信号に設定された前記出力信号の一部を直接出力するカスケード出力過程とを有することを特徴とする。
また、請求項４記載のミキシング装置にあっては、請求項１ないし３の何れかに記載のミキシング方法を実行することを特徴とする。
また、請求項５記載のプログラムにあっては、請求項１ないし３の何れかに記載のミキシング方法を実行させることを特徴とする。
【０００６】
【発明の実施の形態】
１．　実施形態の構成
本発明の一実施形態であるミキシング装置のハードウェア構成を図１を参照して説明する。
図１において、１０は入出力インターフェースであり、アナログ入力インターフェース、デジタル入力インターフェース、入力カードインターフェース、アナログ出力インターフェース、デジタル出力インターフェース、出力カードインターフェースの複数のインターフェースから構成され、オーディオ信号（音声信号や楽音信号を含む。）が入出力される。
【０００７】
アナログ入力インターフェースにはＡ／Ｄ変換器が設けられており、アナログ出力インターフェースにはＤ／Ａ変換器が設けられている。入力カードインターフェースおよび出力カードインターフェースは、入力カードあるいは出力カードがスロットに挿入される用に構成されている。アナログ入力インターフェースからはアナログ形式のオーディオ信号（アナログオーディオ信号）が入力され、デジタル入力インターフェースおよび入力カードインターフェースからはデジタル形式のオーディオ信号（デジタルオーディオ信号）が入力される。それらのオーディオ信号は音の発生源から直接入力される。さらに、各インターフェースには信号を入力する入力端子または信号を出力する出力端子が設けられている。それ故、複数の入力インターフェース（アナログ入力インターフェース、デジタル入力インターフェース、入力カードインターフェース）に設けられた複数の入力端子から複数系統のオーディオ信号が入力され、複数の出力インターフェース（アナログ出力インターフェース、デジタル出力インターフェース、出力カードインターフェース）に設けられた複数の出力端子から複数のオーディオ信号が出力される。
【０００８】
なお、入力インターフェースの何れかに、他のミキシング装置が接続され、そのミキシング装置からカスケード信号が入力される。それ故、入力されるオーディオ信号の何れかがカスケード信号である。したがって、複数の入力端子からは、カスケード接続により入力されるオーディオ信号と音の発生源から直接入力されるオーディオ信号とが入力される。かかる入力インターフェースの構成により、本ミキシング装置は、カスケード接続される複数のミキシング装置中の「後段」のミキシング装置になりうる。一方、アナログ出力インターフェースからはアナログオーディオ信号が出力され、デジタル出力インターフェースおよび出力カードインターフェースからはデジタルオーディオ信号が出力される。ここで、出力インターフェースの何れかに、他のミキシング装置を接続し、該ミキシング装置にカスケード信号を出力することも出来る。すなわち、本ミキシング装置はカスケード接続の前段のミキシング装置にもなり得る。
【０００９】
２０はＤＳＰであり、入出力インターフェース１０に接続され、各入力信号をデジタル信号処理する。３０は操作部であり、各種スイッチ、ポインティングデバイスが設けられる。４０は表示部であり、液晶表示パネルにより構成される。５０はＣＰＵであり、各部を制御する。６０はＲＡＭであり、ワークメモリとして使用される。７０はＲＯＭであり、制御プログラムが記憶されている。なお、フラッシュメモリにより、各種パラメータが記憶される。８０はバスラインであり、各部を接続する。以上の構成要素により、本実施形態のミキシング装置１００が構成される。
【００１０】
２．　実施形態のアルゴリズム構成
次に、ＤＳＰ２０やＣＰＵ５０などによって実現されるミキシングアルゴリズムの構成を図２を参照して説明する。
図２において、２１２はアナログ入力インターフェースであり、Ａ／Ｄ変換器を駆動し、１６チャンネル分のアナログオーディオ信号をデジタルオーディオ信号に変換処理する。２１４はデジタル入力インターフェースであり、１６チャンネル分のデジタルオーディオ信号を入力処理する。２１６および２１８は入力カードインターフェースであり、それぞれのカードインターフェースを介して１６チャンネル分ずつのデジタルオーディオ信号が入力される。以上述べた構成要素２１２，２１４，２１６，２１８を総称して「入力インターフェース」と呼ぶ。
【００１１】
２２０は入力割当器であり、入力インターフェース２１２，２１４，２１６，２１８から入力される複数のデジタルオーディオ信号（入力信号）のそれぞれを、事前設定に従い、入力演算器２３０およびカスケード入力用信号群２８２（２６５，２６７，２６９）に割り当てる。ここで、２６５はカスケードＢＵＳ入力信号束であり、８チャンネルのカスケード用ＢＵＳ信号の集合である。２６７はカスケードＳＴＥＲＥＯ入力信号束であり、ＬチャンネルおよびＲチャンネルのカスケード用ＳＴＥＲＥＯ信号である。２６９はカスケードＡＵＸ入力信号束であり、８チャンネルのカスケード用ＡＵＸ（Ａｕｘｉｌｉａｒｙ）信号の集合である。それ故、入力端子からのオーディオ信号の中から特にカスケード信号がカスケード用信号群２８２に割り当てられる。また、カスケード信号以外の信号は直接入力信号として扱われる。
【００１２】
また、カスケード用信号群２８２において、２４２，２４４，２４６は減衰器であり、カスケード用の各入力信号を減衰する。２５２，２５４，２５６はスイッチであり、カスケード信号を混合するときにＯＮ、混合しないときにＯＦＦに設定される。これらの減衰器２４２，２４４，２４６、スイッチ２５２，２５４，２５６は、それぞれ、１８チャンネル分設けられる。
【００１３】
一方、入力演算器２３０は、入力信号の最大入力数と同じ数（６４個）だけ設けられ、それぞれに１つの入力信号が割り当てられる。それぞれの入力演算器は、割り当てられた入力信号に所定の演算を施して１８個のミックスバス（２６０，２６２，２６４）へ出力する。ここで、２６０はＢＵＳラインであり、８チャンネルの混合される信号の集合である。２６２はＳＴＥＲＥＯラインであり、ＬチャンネルおよびＲチャンネルの混合される信号の集合である。２６４はＡＵＸラインであり、８チャンネルの混合される信号の集合であり、予備用に設けられる。したがって、ミックスバスの信号数は、カスケード用信号群２８２と同じであり、カスケード用信号群２８２の各信号は、ミックスバスにより入力演算器出力群２８４からの信号と混合される。
【００１４】
ここで、１つの入力演算器の内部アルゴリズムを図３を参照して説明する。１つの入力演算器には、入力信号の特性を調整するための演算ユニットがミックスバスの数（１８個）だけ設けられ、そのそれぞれがミックスバスの各チャンネルに接続されている。それぞれの演算ユニットはイコライザユニット２３２、遅延器２３４、スイッチ２３６、減衰器２３８を有し、入力演算器に割り当てられた入力信号の特性を個々に調製する。イコライザユニット２３２は入力信号（直接入力信号）に周波数特性を付与する。遅延器２３４は入力信号（直接入力信号）を一定時間だけ遅延させる。この一定時間とは、マイクなどの集音源と音発生源との距離により発生する音の遅れを解消するための第１の遅延時間と、マイクなどから直接取りこんだ音（直接入力信号）とカスケード接続により入力された音（カスケード入力信号）との間に発生する時間ずれ（位相差）を解消するための第２の遅延時間とを合計した時間である。すなわち、直接入力信号とカスケード入力信号との位相を合わせるため、該直接入力信号が遅延される。スイッチ２３６は入力信号をミックスバスに送信するか否かを切り換える。減衰器２３８は入力信号を減衰する。
【００１５】
入力演算器２３０による１８チャンネルの出力信号の集合を、入力演算器出力群２８４といい、ミックスバス（２６０，２６２，２６４）の計１８チャンネルの信号にそれぞれ伝達される。したがって、遅延された直接入力信号とカスケード信号とが１８チャンネルのミックスバスのそれぞれにおいて混合される。これにより、１８チャンネルの混合信号が生成される。ここで、カスケード用信号群２８２は、ミックスバスに伝達される。たとえば、カスケードＢＵＳ入力信号束２６５の第１チャンネルの信号は、ＢＵＳライン２６０の第１チャンネルに伝達される。さらに、２８８はカスケード出力群であり、カスケードＢＵＳ出力信号束２９０、カスケードＳＴＥＲＥＯ出力信号束２９２、カスケードＡＵＸ出力信号束２９４の集合である。ここで、２９０はカスケードＢＵＳ出力信号束であり、８チャンネルのカスケード用ＢＵＳ信号の集合である。２９２はカスケードＳＴＥＲＥＯ出力信号束であり、ＬチャンネルおよびＲチャンネルのカスケード用ＳＴＥＲＥＯ信号である。２９４はカスケードＡＵＸ出力信号束であり、８チャンネルのカスケード用ＡＵＸ信号の集合である。
【００１６】
２３５は出力演算器であり、その内部アルゴリズムは図３と同様に構成され、ミックスバス（２６０，２６２，２６４）の各信号を演算する。なお、出力演算器２３５は、ミックスバスの信号数に相当する１８チャンネル分設けられる。ただし、イコライザユニット２３２、遅延器２３４、スイッチ２３６、減衰器２３８は各チャンネルについて１系統のみ使用され、混合処理が行われない。２８６は出力演算器出力群であり、ミックスバスの各信号が、出力演算器２３５によって演算された出力信号群である。
【００１７】
２７２はアナログ出力インターフェースであり、Ｄ／Ａ変換器により１６チャンネルの出力処理を行う。２７４はデジタル出力インターフェースであり、１６チャンネルの出力処理を行う。２７６，２７８は出力カードインターフェースであり、各カードに対して１６チャンネルの出力処理を行う。これら構成要素２７２，２７４，２７６，２７８を総称して「出力インターフェース」と呼ぶ。２２５は出力割当器であり、出力演算器出力群２８６、カスケード出力群２８８から、事前設定に従い、任意の信号を選択して、各出力インターフェース２７２，２７４，２７６，２７８の各チャンネルの何れかに割り当てる。
【００１８】
さらに本実施形態のミキシング装置１００が、カスケード接続（縦続接続）される場合においては、前段のミキシング装置におけるカスケード出力が、ミキシング装置１００における入力インターフェース２１２，２１４，２１６，２１８のいずれか入力端子を介して入力される。さらに、ミキシング装置１００における出力インターフェース２７２，２７４，２７６，２７８のいずれかの出力端子からの出力信号が、後段のミキシング装置にカスケード入力される。それ故、１８チャンネルの混合信号の何れかがカスケード信号として出力される。なお、デジタルミキシング装置のみならずアナログミキシング装置もカスケード接続され得る。
【００１９】
３．　実施形態の動作
本実施形態の動作を図１および図２を参照して説明する。
３．１　設定操作
所定の操作が行われると、表示部４０に入力設定画面が表示される。そして、入力インターフェース２１２，２１４，２１６，２１８において入力された各信号が、ミキシングバス（ＢＵＳライン２６０、ＳＴＥＲＥＯライン２６２、ＡＵＸライン２６４）の各チャンネルに設定される。特に、何れかの入力がカスケード接続される場合においては、図４（ａ）に示されるＣＡＳＣＡＤＥ＿ＩＮ＿ＰＡＴＣＨの設定画面が表示され、カスケードＢＵＳ入力信号束２６５、カスケードＳＴＥＲＥＯ入力信号束２６７、カスケードＡＵＸ入力信号束２６９の各チャンネルについて該入力された各信号（カスケード入力信号）が割り当てられる。図４（ａ）において、左からカスケードＢＵＳ入力信号束２６５の第１チャンネル、…、第８チャンネルが設定され、次にカスケードＳＴＥＲＥＯ入力信号束２６７のＬチャンネル、Ｒチャンネルが設定され、さらに、カスケードＡＵＸ入力信号束２６９の第１チャンネル、…、第８チャンネルが設定される。「Ｃ１−ｎ」は、カード１の第ｎチャンネルの入力を表し、「Ｃ２−ｎ」はカード２の第ｎチャンネルの入力を表す。なお、「ＮＯＮＥ」は無入力を表し、ハッチングは、入力が有効であること（たとえば、カードが挿入されていること）を表している。
【００２０】
図４（ａ）においては、カスケードＢＵＳ入力信号束２６５の第１チャンネルには第１入力カードインターフェース２１６の第１チャンネルが設定され、同様に、第２チャンネル以降、第８チャンネルまで第１入力カードインターフェース２１６が設定されていることを示している。さらに、カスケードＡＵＸ入力信号束２６９の第１チャンネルには第２入力カードインターフェース２１８の第１チャンネルが設定され、同様に、第２チャンネル以降、第８チャンネルまで第２入力カードインターフェース２１８が設定されていることを示している。なお、カスケードＳＴＥＲＥＯ入力信号束２６７には何も設定されていない。
【００２１】
次に、入力演算器２３０およびカスケード用信号群２８２における減衰量の設定、および、ミキシングの設定が行われる。特に、カスケード接続においては、図４（ｂ）に示されるＣＡＳＣＡＤＥ＿ＩＮ＿ＡＴＴＥＮＵＡＴＩＯＮの設定画面が表示され、減衰量の設定がされ、あるいは、スイッチの設定がされる。図４（ｂ）において、左からカスケードＢＵＳ入力信号束２６５の第１チャンネル、…、第８チャンネルの減衰量が設定され、次にカスケードＳＴＥＲＥＯ入力信号束２６７のＬチャンネル、Ｒチャンネルの減衰量が設定され、さらに、カスケードＡＵＸ入力信号束２６９の第１チャンネル，…，第８チャンネルの減衰量が設定される。なお、「ＯＮ」はスイッチ２５２，…，２５２，２５４，…，２５４，２５６，…，２５６のＯＮ状態を表し、「ＯＦＦ」はＯＦＦ状態を表している。
【００２２】
カスケードＢＵＳ入力信号束２６５の第１チャンネルは「−９６ｄＢ」の減衰量に設定され、スイッチはＯＮにされ、カスケードＢＵＳ入力信号束２６５の第８チャンネルは減衰量「０ｄＢ」であり、減衰されないが、スイッチはＯＦＦに設定されている。カスケードＳＴＥＲＥＯ入力信号束２６７も、減衰量「０ｄＢ」に設定され、減衰されないが、スイッチ２５４はＯＦＦに設定されている。また、カスケードＡＵＸ入力信号束２６９の第１チャンネルは「−９６ｄＢ」の減衰量に設定され、スイッチはＯＦＦに設定され、第８チャンネルは減衰量「−４８ｄＢ」に設定され、スイッチはＯＮに設定されている。
【００２３】
次に、出力演算器出力群２８６およびカスケード出力群２８８の出力への割当設定画面が表示される。特に、カスケード接続においては、図４（ｃ）に示されるＣＡＳＣＡＤＥ＿ＯＵＴ＿ＰＡＴＣＨの設定画面が表示される。図において、左からカスケードＢＵＳ出力信号束２９０の第１チャンネル，…，第８チャンネルの出力が設定され、次にカスケードＳＴＥＲＥＯ出力信号束２９２のＬチャンネル、Ｒチャンネルの出力が設定され、さらに、カスケードＡＵＸ出力信号束２９４の第１チャンネル，…，第８チャンネルの出力が設定される。ここで、「Ｃ１−ｎ」は、第１出力カードインターフェースの第ｎチャンネル、「Ｄ−ｎ」はデジタル出力インターフェースの第ｎチャンネル、「ＮＯＮＥ」は無接続を表す。
【００２４】
カスケードＢＵＳ出力信号束２９０の第１チャンネルは第１出力カードインターフェースの第１チャンネルに設定され、同様に第２チャンネル以降第８チャンネルまで第１出力カードインターフェースに設定される。さらに、カスケードＳＴＥＲＥＯ出力信号束２９２のＬ出力は、デジタル出力インターフェースの第１チャンネルに設定され、Ｒ出力は、デジタル出力インターフェースの第２チャンネルに設定される。なお、カスケードＡＵＸ出力信号束２９４の第１チャンネルから第８チャンネルまでは出力設定されない。
【００２５】
３．２　　ミキシング動作
ミキシング動作は、ＤＳＰ２０によって処理される。入力割当器２２０によって、入力割当画面の設定に従い、入力インターフェース２１２，２１４，２１６，２１８における各入力信号が、入力演算器２３０の各入力信号（直接入力信号）あるいはカスケード用信号群２８２の各入力信号（カスケード入力信号）に割り当てられる。入力インターフェースの何れかにカスケード入力信号が入力され、他の入力インターフェースに直接入力信号が入力される。
【００２６】
入力演算器２３０においては、直接入力信号の各チャンネル毎にイコライザユニット２３２，…，２３２により周波数特性が付与され、減衰器２３８，…，２３８により減衰される。また、遅延器２３４，…，２３４においては、集音源（たとえばマイク）と音発生源との距離により発生する音の遅れを解消するための第１の遅延時間と、直接入力信号とカスケード入力信号との間に発生する時間ずれを解消するための第２の遅延時間とを合計した時間が設定される。ここで、カスケード接続による遅延時間の補正は、カスケード用信号群２８２と入力演算器出力群２８４との位相差を合わせるため（同期を取るため）に行われる。具体的に、カスケード前段にミキシング装置１００が用いられ、その接続が入力カードおよび出力カードで行われる場合においては、以下の遅延時間にデフォルトで設定されることが望ましい。すなわち、後段における入力カードインターフェースならびに前段における入力割当器、出力演算器、出力割当器および出力カードインターフェースによる遅延時間の合計に等しい遅延時間に設定される。そして、事前設定に従い、入力演算器２３０における各チャンネルの出力信号がミックスバス（ＢＵＳライン２６０，ＳＴＥＲＥＯライン２６２，ＡＵＸライン２６４）に出力され、設定された減衰量により混合される。
【００２７】
一方、カスケード用信号群２８２の各信号（カスケード入力信号）は、減衰器２４２，…，２４２，２４４，…，２４４，２４６，…，２４６を用いてチャンネル毎に減衰され、さらに、スイッチ２５２，…，２５２，２５４，…，２５４，２５６，…，２５６を用いてチャンネル毎にＯＮ／ＯＦＦ制御され、入力演算器２３０の出力信号と共に、１８チャンネルのミックスバス（２６０，２６２，２６４）の中で混合される。
【００２８】
そして、混合された各信号が出力演算器２３５に入力され、各信号毎に、周波数特性が付与され、ゲイン調整等がされる。そして、出力演算器出力群２８６の各信号として出力される。さらに出力割当器２２５により、カスケード出力群２８８の各信号（カスケード出力信号）および出力演算器出力群２８６の各信号（直接出力信号）が、出力インターフェース２７２，２７４，２７６，２７８の各信号の何れかに割り当てられる。その結果、出力インターフェース２７２，２７４，２７６，２７８の何れかからカスケード出力信号が出力端子を介して出力され、他の出力インターフェースから該直接出力信号が出力端子を介して出力される。
【００２９】
４．　変形例
本発明は上述した実施形態に限定されるものではなく、例えば以下のような種々の変形が可能であり、全て本発明の範疇に含まれる。
（１）上記実施形態は、マイクなどの集音源と音発生源との距離により発生する音の遅れを解消するための第１の遅延時間と、マイクなどから取りこんだ音（直接入力信号）とカスケード接続により入力された音（カスケード入力信号）との間に発生する時間ずれを解消するための第２の遅延時間とを合計した時間の設定を入力演算器２３０の中で行っていたが、第２の遅延時間の設定をカスケード用信号群２８４の中で行い、第１の遅延時間の設定を入力演算器２３０の中で行うことも可能である。
（２）上記実施形態は、ＲＯＭ７０に格納されたプログラムによってミキシング方法を実行したが、パーソナルコンピュータ上で動作するアプリケーションプログラムによっても実行することが出来る。アプリケーションプログラムをＣＤ−ＲＯＭ、フレキシブルディスク等の記憶媒体に格納して頒布し、あるいは電気通信回線を通じて頒布してもよい。
【００３０】
【発明の効果】
以上説明したように請求項１に係る構成によれば、カスケード接続専用入力端子を設けることなく、複数の入力端子の一部をカスケード接続することが出来る。
また、請求項３に係る構成によれば、カスケード接続専用入力端子を設けることなく、出力信号の一部をカスケード出力することが出来る。
【図面の簡単な説明】
【図１】本発明の一実施形態のハードウェア構成図である。
【図２】本発明の一実施形態のミキシングアルゴリズムの構成図である。
【図３】入出力演算器の構成図である。
【図４】カスケード接続入力設定画面である。
【符号の説明】
１０…入出力インターフェース（入力端子，出力端子）、２０…ＤＳＰ、３０…操作部、４０…表示部、５０…ＣＰＵ、６０…ＲＡＭ、７０…ＲＯＭ、８０…バスライン、１００…ミキシング装置、２１２…アナログ入力インターフェース、２１４…デジタル入力インターフェース、２１６，２１８…入力カードインターフェース、２２０…入力割当器、２３０…入力演算器（入力演算過程）、２３２…イコライザユニット、２３４…遅延器（遅延過程）、２３５…出力演算器、２３８，２４２，２４４，２４６…減衰器、２３６，２５２，２５４，２５６…スイッチ、２６０…ＢＵＳライン、２６２…ＳＴＥＲＥＯライン、２６４…ＡＵＸライン、２６５…カスケードＢＵＳ入力信号束、２６７…カスケードＳＴＥＲＥＯ入力信号束、２６９…カスケードＡＵＸ入力信号束、２７２…アナログ出力インターフェース、２７４…デジタル出力インターフェース、２７６，２７８…出力カードインターフェース、２８２…カスケード用信号群、２８４…入力演算器出力群、２８６…出力演算器出力群、２８８…カスケード出力群、２９０…カスケードＢＵＳ出力信号束、２９２…カスケードＳＴＥＲＥＯ出力信号束、２９４…カスケードＡＵＸ出力信号束
【図１】
2004120697.tif 000003
【図２】
2004120697.tif 000004
【図３】
2004120697.tif 000005
【図４】
2004120697.tif 000006